(57)【要約】【課題】新たなコンテンツを録画する際に、ユーザが削除を望まないコンテンツが誤って削除されてしまうことを抑制できるようにする。【解決手段】コンテンツ管理装置１０１は、ＨＤＤ１０８にコンテンツを記録するためのコンテンツ記録再生部１０４と、ＨＤＤ１０８にコンテンツを記録する指令を受けて、この指令に従ってこのコンテンツを記録するとＨＤＤ１０８の空き容量を超える場合に、ＨＤＤ１０８に記録済みの１または複数のコンテンツのうち、最後まで再生されたか、または実質的に最後まで再生されたコンテンツを削除対象コンテンツとして優先的に削除可能なコンテンツ管理部１０５と、を含む。【選択図】図１
2013114734.tif 000002
【特許請求の範囲】
【請求項１】
記録装置にコンテンツを記録するためのコンテンツ記録部と、
前記記録装置にコンテンツを記録する指令を受けて、前記指令に従って前記コンテンツを記録すると前記記録装置の空き容量を超える場合に、前記記録装置に記録済みの１または複数の前記コンテンツのうち、最後まで再生されたか、または実質的に最後まで再生されたコンテンツを削除対象コンテンツとして優先的に削除可能なコンテンツ管理部と
を備える、コンテンツ管理装置。
【請求項２】
前記コンテンツ管理部は、所定の割合以上の時間位置で再生を中断され、かつ、再生をスキップされた割合が所定の割合未満の前記コンテンツを、実質的に最後まで再生された前記コンテンツであると判定する、請求項１に記載のコンテンツ管理装置。
【請求項３】
前記コンテンツ管理部は、前記削除対象コンテンツが複数ある場合には、複数の前記削除対象コンテンツを一括して削除可能である、請求項１または請求項２に記載のコンテンツ管理装置。
【請求項４】
前記コンテンツ管理部は、前記削除対象コンテンツが複数ある場合には、前記指令に対応する前記コンテンツを記録するために必要な空き容量が少なくとも前記記録装置において確保されるまで、前記削除対象コンテンツを、前記削除対象コンテンツの録画日時の古いものから順に削除する、請求項１または請求項２に記載のコンテンツ管理装置。
【請求項５】
前記削除対象コンテンツの削除に先立ち、前記削除対象コンテンツの識別情報を画面に表示させる制御を行うための表示制御部をさらに備える、請求項１ないし請求項４のいずれか１項に記載のコンテンツ管理装置。
【請求項６】
前記削除対象コンテンツから除外するコンテンツを示す指令信号を受信可能な指令受信部をさらに備え、
前記コンテンツ管理部は、前記指令受信部が受信した前記指令信号の示すコンテンツを前記削除対象コンテンツから除外する、請求項１ないし請求項５のいずれか１項に記載のコンテンツ管理装置。
【請求項７】
記録装置にコンテンツを記録し、かつ、前記記録装置に記録されたコンテンツを削除可能な記録装置におけるコンテンツ管理方法であって、
前記記録装置にコンテンツを記録する指令を受けるステップと、
前記指令に従って前記コンテンツを記録すると前記記録装置の空き容量を超える場合に、前記記録装置に記録済みの１または複数の前記コンテンツのうち、最後まで再生されたか、または実質的に最後まで再生されたコンテンツを削除対象コンテンツとして優先的に削除するステップと、
を含む、コンテンツ管理方法。
【請求項８】
記録装置にコンテンツを記録し、かつ、前記記録装置に記録されたコンテンツを削除可能な記録装置に用いられるコンテンツ管理プログラムであって、
コンピュータに、
前記記録装置にコンテンツを記録する指令を受けるステップと、
前記指令に従って前記コンテンツを記録すると前記記録装置の空き容量を超える場合に、前記記録装置に記録済みの１または複数の前記コンテンツのうち、最後まで再生されたか、または実質的に最後まで再生されたコンテンツを削除対象コンテンツとして優先的に削除するステップと、
を実行させるための、コンテンツ管理プログラム。
【発明の詳細な説明】
【技術分野】
【０００１】
本発明は、コンテンツ管理装置、コンテンツ管理方法およびコンテンツ管理プログラムに関し、特に、録画動作に伴って削除すべき既存の録画コンテンツを選定するコンテンツ管理装置、コンテンツ管理方法およびコンテンツ管理プログラムに関するものである。
【背景技術】
【０００２】
近年、ＨＤ（Hard Disk）にテレビ番組などのコンテンツを録画するための、ＨＤレコーダが普及している。ＨＤレコーダは、録画容量が大きいので、コンテンツを長時間記録できる。しかしながら、ＨＤレコーダであっても、大量のコンテンツが録画された状態でさらに録画を続けていると、録画可能な領域がなくなってしまう。このため、新たなコンテンツを録画するために、ＨＤの空き容量を増やさなければならない場合がある。
【０００３】
特許第３４３９４０６号明細書（特許文献１）には、記録媒体の録画済み領域のうち、上書きする所定の領域の抽出を、視聴済みフラグに基づいて行う技術が開示されている。録画した番組が僅かでも再生された場合に、視聴済みフラグが録画済み状態に設定される。また、特開２００２−１１２１５０号公報（特許文献２）には、ＨＤに記録されたコンテンツのうち、視聴済みのコンテンツ、および最も古い番組を消去することで、必要な空き容量を確保する構成が開示されている。
【先行技術文献】
【特許文献】
【０００４】
【特許文献１】特許第３４３９４０６号明細書（[００２２]、[００２９]段落）
【特許文献２】特開２００２−１１２１５０号公報（[００２５]段落）
【発明の概要】
【発明が解決しようとする課題】
【０００５】
しかしながら、特許文献１，２に記載の技術では、単に、録画日時、または視聴開始の有無に基づいて、消去すべき録画コンテンツが決定される。このため、ユーザが再生したいと思っていた録画コンテンツでも、単に録画日時が古いという理由で消去されるおそれがある。また、たとえば、再生が中断された状態の録画コンテンツの続きを、ユーザが後日観たいと思っていても、当該録画コンテンツが消去されてしまうおそれがある。
【０００６】
この発明は、上述の課題を解決するためになされたもので、その目的は、ユーザが削除を望まないコンテンツが誤って削除されてしまうことを抑制できるコンテンツ管理装置、コンテンツ管理方法、およびコンテンツ管理プログラムを提供することである。
【課題を解決するための手段】
【０００７】
上記課題を解決するために、この発明のある局面に係わるコンテンツ管理装置は、記録装置にコンテンツを記録するためのコンテンツ記録部と、前記記録装置にコンテンツを記録する指令を受けて、前記指令に従って前記コンテンツを記録すると前記記録装置の空き容量を超える場合に、前記記録装置に記録済みの１または複数の前記コンテンツのうち、最後まで再生されたか、または実質的に最後まで再生されたコンテンツを削除対象コンテンツとして優先的に削除可能なコンテンツ管理部と、を備える。
【０００８】
特許文献１，２に開示されている従来の装置では、再生が１度以上行われたか否かを基準に削除するコンテンツを決定する構成か、または、録画日時の最も古いコンテンツを削除するという構成であった。このため、途中までしか再生されておらず、ユーザが続きを見たいコンテンツであっても、削除されることがあった。また、多忙などの理由により長期間見ることができなかったコンテンツが、誤って削除されることがあった。すなわち、ユーザの見たいと思うコンテンツが記録装置から誤って削除されるおそれがあった。これに対し、この発明のある局面に係わるコンテンツ管理装置によると、最後まで、または実質的に最後まで再生されたコンテンツを削除するようにしている。よって、上記のように、ユーザがまだ見ていないか、または、見終っておらず、続きを見たいコンテンツを誤って削除してしまうことを防止できる。
【０００９】
好ましくは、前記コンテンツ管理部は、所定の割合以上の時間位置で再生を中断され、かつ、再生をスキップされた割合が所定の割合未満の前記コンテンツを、実質的に最後まで再生された前記コンテンツであると判定する。
【００１０】
このような構成であれば、所定の割合以上の時間位置で再生を中断され、かつ、再生をスキップされた割合が所定の割合未満のコンテンツを、ユーザが十分に視聴したコンテンツとして扱うことができる。よって、最後まで再生されていないようなコンテンツについても、実質的に最後まで再生されたものとして扱うことで削除し、新たなコンテンツの記録のために記録装置の容量を確保できる。
【００１１】
好ましくは、前記コンテンツ管理部は、前記削除対象コンテンツが複数ある場合には、複数の前記削除対象コンテンツを一括して削除可能である。
【００１２】
このような構成であれば、自動的に一度に多くの空き容量を確保できるので、記録装置の記録領域の有効活用を図ることができる。
【００１３】
好ましくは、前記コンテンツ管理部は、前記削除対象コンテンツが複数ある場合には、前記指令に対応する前記コンテンツを記録するために必要な空き容量が少なくとも前記記録装置において確保されるまで、前記削除対象コンテンツを、前記削除対象コンテンツの録画日時の古いものから順に削除する。
【００１４】
このような構成であれば、新たなコンテンツを録画する際に削除する古いコンテンツの削除量を必要最低限にすることができる。よって、ユーザにとって不本意な削除動作を抑制できる。
【００１５】
好ましくは、前記削除対象コンテンツの削除に先立ち、前記削除対象コンテンツの識別情報を画面に表示させる制御を行うための表示制御部をさらに備える。
【００１６】
このような構成であれば、削除対象コンテンツの削除に先立ち、どのコンテンツが削除されるかを、ユーザに知らせることができる。
【００１７】
好ましくは、前記削除対象コンテンツから除外するコンテンツを示す指令信号を受信可能な指令受信部をさらに備え、前記コンテンツ管理部は、前記指令受信部が受信した前記指令信号の示すコンテンツを前記削除対象コンテンツから除外する。
【００１８】
このような構成であれば、ユーザが消去したくないコンテンツを、消去対象から除外することができる。
【００１９】
上記の課題を解決するために、この発明のある局面に係わるコンテンツ管理方法は、記録装置にコンテンツを記録し、かつ、前記記録装置に記録されたコンテンツを削除可能な記録装置における方法であって、前記記録装置にコンテンツを記録する指令を受けるステップと、前記指令に従って前記コンテンツを記録すると前記記録装置の空き容量を超える場合に、前記記録装置に記録済みの１または複数の前記コンテンツのうち、最後まで再生されたか、または実質的に最後まで再生されたコンテンツを削除対象コンテンツとして優先的に削除するステップと、を含む。
【００２０】
特許文献１，２に開示されている従来の装置では、再生が１度以上行われたか否かを基準に削除するコンテンツを決定する構成か、または、録画日時の最も古いコンテンツを削除するという構成であった。このため、途中までしか再生されておらず、ユーザが続きを見たいコンテンツであっても、削除されることがあった。また、多忙などの理由により長期間見ることができなかったコンテンツが、誤って削除されることがあった。すなわち、ユーザの見たいと思うコンテンツが記録装置から誤って削除されるおそれがあった。これに対し、この発明のある局面に係わるコンテンツ管理方法によると、最後まで、または実質的に最後まで再生されたコンテンツを削除するようにしている。よって、上記のように、ユーザがまだ見ていないか、または、見終っておらず、続きを見たいコンテンツを誤って削除してしまうことを防止できる。
【００２１】
上記の課題を解決するために、この発明のある局面に係わるコンテンツ管理プログラムは、記録装置にコンテンツを記録し、かつ、前記記録装置に記録されたコンテンツを削除可能な記録装置に用いられるプログラムであって、コンピュータに、前記記録装置にコンテンツを記録する指令を受けるステップと、前記指令に従って前記コンテンツを記録すると前記記録装置の空き容量を超える場合に、前記記録装置に記録済みの１または複数の前記コンテンツのうち、最後まで再生されたか、または実質的に最後まで再生されたコンテンツを削除対象コンテンツとして優先的に削除するステップと、を実行させるためのプログラムである。
【００２２】
特許文献１，２に開示されている従来の装置では、再生が１度以上行われたか否かを基準に削除するコンテンツを決定する構成か、または、録画日時の最も古いコンテンツを削除するという構成であった。このため、途中までしか再生されておらず、ユーザが続きを見たいコンテンツであっても、削除されることがあった。また、多忙などの理由により長期間見ることができなかったコンテンツが、誤って削除されることがあった。すなわち、ユーザの見たいと思うコンテンツが記録装置から誤って削除されるおそれがあった。これに対し、この発明のある局面に係わるコンテンツ管理プログラムによると、最後まで、または実質的に最後まで再生されたコンテンツをコンピュータによって削除させるようにしている。よって、上記のように、ユーザがまだ見ていないか、または、見終っておらず、続きを見たいコンテンツを誤って削除してしまうことを防止できる。
【発明の効果】
【００２３】
本発明によれば、ユーザがまだ見ていないか、または、見終っておらず、続きを見たいコンテンツを誤って削除してしまうことを防止できる。
【図面の簡単な説明】
【００２４】
【図１】本発明の実施の形態に係るコンテンツ管理装置の構成を示す図である。
【図２】コンテンツ管理装置がコンテンツをＨＤＤに録画する動作を説明するためのフローチャートである。
【図３】録画コンテンツを再生する際のコンテンツ管理装置の動作を説明するためのフローチャートである。
【図４】ＨＤＤに記録された録画コンテンツのリストをディスプレイに表示する制御の流れを説明するためのフローチャートである。
【図５】ディスプレイに表示される録画コンテンツリストの一例を説明するための図である。
【図６】図５に示す録画コンテンツリストで選択削除ボタンが押操作されたときの制御の流れを説明するためのフローチャートである。
【図７】表示制御部によってディスプレイに表示される選択削除用リストの一例を説明するための図である。
【図８】図５に示す録画コンテンツリストで視聴済み削除ボタンが押操作されたときの動作を説明するためのフローチャートである。
【図９】一括削除用リスト作成時の制御の流れを説明するためのフローチャートである。
【図１０】一括削除用リストを示す図である。
【図１１】ユーザの指令に基づいて録画コンテンツを削除する流れを説明するためのフローチャートである。
【図１２】コンテンツ管理装置で録画動作を行うことに伴う録画コンテンツの削除動作を説明するためのフローチャートである。
【図１３】本発明の第２の実施形態に係るコンテンツ管理装置における、録画動作を行うことに伴う録画コンテンツの削除の流れを説明するためのフローチャートである。
【発明を実施するための形態】
【００２５】
以下、本発明の実施の形態について図面を用いて説明する。なお、図中同一または相当部分には同一符号を付してその説明は繰り返さない。
［構成および基本動作］
【００２６】
図１は、本発明の実施の形態に係るコンテンツ管理装置の構成を示す図である。
【００２７】
図１を参照して、コンテンツ管理装置１０１は、受信部１０２と、解析部１０３と、コンテンツ記録再生部（コンテンツ記録部、コンテンツ再生部）１０４と、コンテンツ管理部１０５と、表示制御部１０６と、ユーザインターフェース（指令受信部）１０７とを備える。
【００２８】
コンテンツ管理装置１０１は、管理している複数の録画コンテンツをソート、検索および表示するコンテンツ管理装置として機能する。コンテンツ管理装置１０１は、たとえば、記録装置としてのＨＤＤ（Hard Disk Drive）１０８に録画されている複数の録画コンテンツをソート、検索および表示する。
【００２９】
より詳細には、コンテンツ管理装置１０１は、たとえば、ＳＴＢ（Set Top Box）であり、局側装置からストリームを受信し、当該ストリームから映像データおよび音声データをデコードし、ディスプレイ１０９においてコンテンツを再生する。さらに、コンテンツ管理装置１０１は、受信したコンテンツをＨＤＤ（Hard Disk Drive）１０８に録画する、あるいはＨＤＤ１０８に録画された録画コンテンツをディスプレイ１０９において再生する。
【００３０】
この局側装置は、たとえば、デジタル放送の放送局に設置される装置、またはＩＰＴＶ（Internet Protocol Television）に対応するサーバである。なお、コンテンツ管理装置１０１は、ディスプレイ１０９を備える構成であってもよいし、ＨＤＤ１０８を備える構成であってもよい。
【００３１】
受信部１０２は、局側装置から受信したストリームからＰＳＩ（Program Specific Information）、映像データおよび音声データを抽出してコンテンツ記録再生部１０４へ出力し、ＳＩ（Service Information）を抽出して解析部１０３へ出力する。
【００３２】
ＳＩは、ＡＲＩＢ（Association of Radio Industries and Businesses）により規定されたシリーズ記述子およびＥＰＧ（Electronic Program Guide）を含む。
【００３３】
シリーズ記述子は、ドラマあるいはアニメーションなどの一連のシリーズをユニークに識別するためのseries_id（シリーズ識別）、シリーズ識別が示す番組のシリーズ内の話数を示すepisode_number（話数）、シリーズ識別が有効な期限の年月日を示すexpire_date（有効期限）およびシリーズ識別が示す番組名を表す文字列であるseries_name_char（シリーズ名）などから構成される。
【００３４】
ＥＰＧは、たとえば計８日分の番組名および簡単な紹介である基本情報と、内容および出演者等の詳細情報と、ジャンル情報とを含む。
【００３５】
解析部１０３は、受信部１０２より受けたＳＩを解析し、たとえば、受信しているコンテンツの、番組タイトル、放送日時および番組が属するジャンルなどの番組情報をコンテンツ管理部１０５へ出力する。
【００３６】
受信している番組にシリーズ記述子がある場合、解析部１０３は、シリーズ識別、話数、有効期限およびシリーズ名も併せてコンテンツ管理部１０５へ出力する。
【００３７】
コンテンツ記録再生部１０４は、ＨＤＤ１０８に接続される。また、コンテンツ記録再生部１０４は、受信部１０２から受けたＰＳＩを参照し、受信しているコンテンツの再生に必要な映像データおよび音声データをデコードし、表示制御部１０６へ出力する。
【００３８】
表示制御部１０６は、コンテンツ記録再生部１０４から受信しているコンテンツの映像データおよび音声データをディスプレイ１０９において再生する。
【００３９】
コンテンツ管理装置１０１は、コンテンツ管理装置１０１の外部に設置したＨＤＤ１０８と接続されているときに、受信しているコンテンツをＨＤＤ１０８に録画することができる。このとき、コンテンツ記録再生部１０４は、コンテンツの画像データおよび音声データをＨＤＤ１０８に記録する。
【００４０】
また、コンテンツ管理装置１０１は、コンテンツ管理装置１０１の外部に設置したＨＤＤ１０８と接続されているときに、ＨＤＤ１０８が保有しているコンテンツをディスプレイ１０９において再生することができる。
【００４１】
［コンテンツ管理装置とＨＤＤとの同期］
コンテンツ記録再生部１０４は、ユーザがＨＤＤ１０８をコンテンツ記録再生部１０４に接続したことを認識すると、ＨＤＤ１０８のＨＤＤ識別用ＩＤを取得し、続いてＨＤＤ識別用ＩＤをコンテンツ管理部１０５へ通知する。
【００４２】
ＨＤＤ識別用ＩＤは、ＨＤＤ１０８を識別するためのＩＤであり、たとえばＨＤＤ１０８の個体識別番号を用いることができる。
【００４３】
コンテンツ記録再生部１０４からＨＤＤ１０８のＨＤＤ識別用ＩＤの通知を受けたコンテンツ管理部１０５は、当該ＨＤＤ識別用ＩＤが、新規なＨＤＤ識別用ＩＤか、あるいは接続した履歴のあるＨＤＤ識別用ＩＤであるかを判別する。
【００４４】
新規なＨＤＤ識別用ＩＤである場合、コンテンツ管理部１０５は、ＨＤＤ１０８に録画されているコンテンツ情報を管理するために、管理テーブルの配列を作成する。
【００４５】
接続した履歴のあるＨＤＤ識別用ＩＤである場合、コンテンツ管理部１０５は、コンテンツ記録再生部１０４から通知を受けたＨＤＤ１０８のＨＤＤ識別用ＩＤに基づき、接続したＨＤＤ１０８に対応する管理テーブルの配列を呼び出す。
【００４６】
すなわち、コンテンツ管理部１０５は、ＨＤＤ１０８のＨＤＤ識別用ＩＤ毎に管理テーブルの配列を持つ。
【００４７】
管理テーブルが持つメンバは、たとえば、コンテンツＩＤ、番組タイトル、録画日時、番組が属するジャンル、シリーズ識別、話数、有効期限およびシリーズ名であり、これらの少なくとも一つは、録画コンテンツの識別情報として用いられる。
【００４８】
コンテンツＩＤは、たとえばコンテンツをＨＤＤ１０８に録画するときに使用するファイルネームである。管理テーブルが持つメンバは、上記の識別情報に加え、再生履歴情報を含む。
【００４９】
再生履歴情報は、上記識別情報によって識別される録画コンテンツが一度でも再生されたことを示す再生開始フラグと、当該録画コンテンツが最初から何分までの時点で再生が中断されたかを示す再生時間情報（再生位置情報）と、上記コンテンツが最後まで再生されたことを示す再生完了フラグと、を含む。
【００５０】
コンテンツ管理部１０５は、管理テーブルの１または複数のメンバを、複数の録画コンテンツを検索するときの検索キーおよびディスプレイ１０９に表示するときの項目に用いる。
【００５１】
接続した履歴のあるＨＤＤ１０８の場合、コンテンツ管理部１０５は、管理テーブルの配列の各要素のメンバであるコンテンツＩＤに対応するコンテンツがＨＤＤ１０８に録画されているかを確認する。
【００５２】
より詳細には、コンテンツ管理部１０５は、管理テーブルの配列の各要素に記録されているコンテンツＩＤ、および該当するコンテンツの存在確認指令をコンテンツ記録再生部１０４に対して与える。
【００５３】
コンテンツ管理部１０５からコンテンツＩＤと該当するコンテンツの存在確認指令とを受けたコンテンツ記録再生部１０４は、コンテンツＩＤに基づき該当するコンテンツがＨＤＤ１０８に録画されているかを確認する。
【００５４】
コンテンツ記録再生部１０４は、ＨＤＤ１０８に該当するコンテンツが存在することを確認すれば真（Ｔｒｕｅ）を、存在しないことを確認すれば偽（Ｆａｌｓｅ）をコンテンツ管理部１０５に通知する。
【００５５】
コンテンツ管理部１０５は、コンテンツ記録再生部１０４から偽（Ｆａｌｓｅ）と通知されたときには該当する管理テーブルの配列の要素を削除する。真（Ｔｒｕｅ）が通知されたときには何もしない。管理テーブルの配列の全要素に対して上記の確認作業が完了すれば、コンテンツ管理部１０５が管理する情報とＨＤＤ１０８が保有するコンテンツとの同期作業が完了となる。
【００５６】
コンテンツ管理部１０５は、同期作業が無事完了すれば同期作業を真（Ｔｒｕｅ）と判定し、同期作業に異常があれば同期作業を偽（Ｆａｌｓｅ）と判定する。
【００５７】
コンテンツ管理部１０５が同期作業を真（Ｔｒｕｅ）と判定したことを以って、コンテンツ管理装置１０１では、受信したコンテンツのＨＤＤ１０８への録画準備、およびＨＤＤ１０８に録画されたコンテンツのディスプレイ１１０への再生準備が完了する。
【００５８】
コンテンツ管理部１０５が同期作業を偽（Ｆａｌｓｅ）と判定した場合には、コンテンツ管理部１０５は、表示制御部１０６を介してその旨のデータを送信し、同期作業の異常を示すメッセージ等をディスプレイ１０９に表示してもよい。
【００５９】
ユーザインターフェース１０７は、たとえばボタンスイッチを含み、ユーザによってボタンスイッチが押操作されることにより、コンテンツ管理装置１０１に対するユーザの指令信号を表示制御部１０６へ出力する。表示制御部１０６は、ユーザインターフェース１０７から受信した指令信号をコンテンツ管理部１０５に出力する。
【００６０】
ユーザインターフェース１０７は、コンテンツ管理装置１０１の筐体に配置してもよいし、コンテンツ管理装置１０１との通信が可能な赤外線による無線式あるいはケーブルによる有線式リモートコントローラでもよい。
【００６１】
以上が、コンテンツ管理装置１０１の概略構成である。次に、コンテンツ管理装置１０１における、コンテンツを録画する動作、録画されたコンテンツ（以下、録画コンテンツという。）の再生動作、録画コンテンツの一覧表表示動作、および録画コンテンツの削除動作を説明する。
【００６２】
［録画］
図２は、コンテンツ管理装置１０１がコンテンツをＨＤＤ１０８に録画する動作を説明するためのフローチャートである。
【００６３】
コンテンツ管理装置１０１は、以下に示す各フローチャートの各ステップを図示しないメモリから読み出して実行する。このプログラムは、外部からインストールできる。このインストールされるプログラムは、たとえば記録媒体に格納された状態で流通する。
【００６４】
図２を参照して、ユーザインターフェース１０７が備える「録画」ボタンが、ユーザによって押操作されると、ユーザインターフェース１０７は、録画指令を表示制御部１０６に出力する（ステップＳ２０１）。続いて、表示制御部１０６は、録画指令をコンテンツ管理部１０５に出力する（ステップＳ２０２）。
【００６５】
表示制御部１０６から録画指令を受信したコンテンツ管理部１０５は、管理テーブルの配列に新たに要素を一つ加え、録画するコンテンツの識別情報を管理テーブルに追加する（ステップＳ２０３）。より詳細には、解析部１０３から受けた録画しようとしているコンテンツの番組タイトル、放送日時（録画日時）、および番組が属するジャンル情報に加えて、シリーズ記述子が利用可能である場合には、シリーズ識別、話数、有効期限およびシリーズ名を、管理テーブルに新たに加えた配列要素の該当するメンバに書き込む。
【００６６】
さらに、コンテンツ管理部１０５は、コンテンツＩＤを決定し、管理テーブルに新たに加えた配列要素の該当するメンバに書き込む。コンテンツ管理部１０５は、コンテンツＩＤをたとえば番組タイトルあるいは放送日時を基に生成してもよい。
【００６７】
次に、コンテンツ管理部１０５は、上記録画するコンテンツの再生履歴情報を初期設定する（ステップＳ２０４）。より詳細には、コンテンツ管理部１０５は、上記コンテンツの再生開始フラグを偽（Ｆａｌｓｅ）と書き込み、再生時間情報をゼロと書き込み、さらに、再生完了フラグを偽（Ｆａｌｓｅ）と書き込む。
【００６８】
次に、コンテンツ管理部１０５は、現在受信しているコンテンツの録画指令およびコンテンツＩＤをコンテンツ記録再生部１０４へ出力する（ステップＳ２０５）。
【００６９】
コンテンツ管理部１０５から録画指令およびコンテンツＩＤを受信したコンテンツ記録再生部１０４は、ＨＤＤ１０８にコンテンツを録画する準備を行う（ステップＳ２０６）。より詳細には、コンテンツ記録再生部１０４は、受信しているコンテンツを録画するための録画領域をＨＤＤ１０８に確保し、確保した録画領域のアドレスとコンテンツＩＤとを対応付け、ＨＤＤ１０８に録画されたコンテンツをコンテンツＩＤにより参照できるようにする。
【００７０】
コンテンツ記録再生部１０４は、ＨＤＤ１０８に録画領域を確保できたことを確認したのち、受信部１０２から受信したＰＳＩを参照し、必要な映像データおよび音声データをエンコードし、ＨＤＤ１０８において確保した録画領域に録画する（ステップＳ２０７）。
【００７１】
次に、コンテンツ管理装置１０１の録画動作を停止する場合には、録画停止指令が、ユーザインターフェース１０７から表示制御部１０６に入力される（ステップＳ２０８）。さらに、表示制御部１０６は、録画停止指令をコンテンツ管理部１０５に与える（ステップＳ２０９）。
【００７２】
ステップＳ２０９は、ユーザがユーザインターフェース１０７を操作すると同時に、または当該操作の後所定時間経過後に、行われる。より詳細には、ステップＳ２０９は、たとえば、ユーザインターフェース１０７が備える「録画停止」ボタンが押操作されたと同時に実行される。また、ユーザによって予め指定された番組を録画する予約録画指令がユーザインターフェース１０７から表示制御部１０６に伝達されている場合には、ステップＳ２０９は、予約された録画停止時間となった時点で、実行される。
【００７３】
表示制御部１０６から録画停止指令を受信したコンテンツ管理部１０５は、管理テーブルの配列において、当該録画コンテンツの録画開始時に新たに加えた要素のメンバである録画日時に終了時刻を書き込む（ステップＳ２１０）。続いて、コンテンツ管理部１０５は、コンテンツ記録再生部１０４に対して現在受信しているコンテンツの録画停止指令および該コンテンツＩＤを出力する（ステップＳ２１１）。
【００７４】
コンテンツ管理部１０５から録画停止指令および該コンテンツＩＤを受信したコンテンツ記録再生部１０４は、受信しているコンテンツをＨＤＤ１０８に録画することを停止し、録画開始時に確保したＨＤＤ１０８における録画領域の最後にファイルの終端を示すエンドオブファイル（End Of File）を追加する（ステップＳ２１２）。
【００７５】
［再生］
次に、上記の録画動作で録画された録画コンテンツの再生動作を説明する。図３は、録画コンテンツを再生する際のコンテンツ管理装置１０１の動作を説明するためのフローチャートである。図３を参照して、表示制御部１０６は、ユーザインターフェース１０７から録画コンテンツを再生する再生指令を受けているか否かを監視する（ステップＳ３０１）。
【００７６】
このとき、ユーザは、ディスプレイ１０９に表示される、後述する録画コンテンツリスト１２０（図５参照）を見ながら、ユーザインターフェース１０７を操作し、所望の録画コンテンツ（たとえば、ＩＤ１の録画コンテンツ）を選択する。そして、ユーザインターフェース１０７が備える「再生」ボタンが押操作されると、当該ＩＤの録画コンテンツを再生する再生指令は、表示制御部１０６を介してコンテンツ管理部１０５へ出力される（ステップＳ３０１でＹＥＳ）。
【００７７】
これにより、コンテンツ管理部１０５は、当該コンテンツ管理部１０５に保存されている、選択されたＩＤの録画コンテンツの再生履歴情報を読み込む（ステップＳ３０２）。選択されたＩＤの録画コンテンツの再生履歴情報の未再生フラグが真（Ｔｒｕｅ）の場合（ステップＳ３０３でＹＥＳ）、コンテンツ管理部１０５は、未再生フラグを偽（Ｆａｌｓｅ）に書き換える（ステップＳ３０４）。これにより、選択されたＩＤ１の録画コンテンツが少なくとも一度再生されたことをコンテンツ管理部１０５に記憶させる。その後、ステップＳ３０５に進む。
【００７８】
一方、選択されたＩＤの録画コンテンツの再生履歴情報の未再生フラグが偽（Ｆａｌｓｅ）場合（ステップＳ３０３でＮＯ）、選択されたＩＤの録画コンテンツは、既に過去に再生が開始されたコンテンツである。よって、この場合、コンテンツ管理部１０５は、当該コンテンツ管理部１０５に記憶されている未再生フラグを偽（Ｆａｌｓｅ）のままにしておき、ステップＳ３０５に進む。
【００７９】
ステップＳ３０５では、選択されたＩＤの録画コンテンツを再生する。より詳細には、選択されたＩＤの録画コンテンツの画像データおよび音声データが、ＨＤＤ１０８からコンテンツ記録再生部１０４および表示制御部１０６を介して、ディスプレイ１０９へ出力される。
【００８０】
選択されたＩＤの録画コンテンツが最後まで再生されておらず（ステップＳ３０６でＮＯ）、かつ、コンテンツ管理部１０５が最後まで再生中断指令を受信していないとき（ステップＳ３０７でＮＯ）、コンテンツ管理部１０５は、選択されたＩＤの録画コンテンツの再生を継続する（ステップＳ３０５）。
【００８１】
このとき、ユーザインターフェース１０７が備える「再生中断」ボタンが押操作されると、コンテンツ管理部１０５には、再生中断指令が伝わる（ステップＳ３７でＹＥＳ）。この指令を受信したコンテンツ管理部１０５は、コンテンツ記録再生部１０４によるＨＤＤ１０８の画像データおよび音声データの読み込みを停止させ、これにより、選択されたＩＤの録画コンテンツの再生を中断する（ステップＳ３０８）。
【００８２】
そして、コンテンツ管理部１０５は、録画コンテンツの開始時点、すなわち頭時点から、再生が中断されるまでの時間を、再生時間情報として記憶する（ステップＳ３０９）。
【００８３】
たとえば、１時間の番組を録画した録画コンテンツにおいて、番組の開始から２５分経過した時点で再生が中断された場合、再生時間情報は、「２５分」となる。より詳細には、１時間の番組を録画した録画コンテンツを１回目に１０分だけ再生し、その後、２回目の再生時に１５分だけ再生した場合を考える。この場合、１０＋１５＝２５分が再生時間情報となる。すなわち、再生時間情報は、録画コンテンツを最初から途中まで連続して再生したときと、録画コンテンツを最初から途中まで複数回に分けて再生したときとで、同様である。
【００８４】
一方、再生中断指令が与えられずに、選択された録画コンテンツを最後まで再生した場合（ステップＳ３０６でＹＥＳ）、表示制御部１０６は、コンテンツ管理部１０５に記憶されている再生履歴情報の再生完了フラグを、偽（Ｆａｌｓｅ）から真（Ｔｒｕｅ）に書き換える（ステップＳ３１０）。
【００８５】
[録画コンテンツリストの表示]
図４は、ＨＤＤ１０８に記録された録画コンテンツのリストをディスプレイ１０９に表示する制御の流れを説明するためのフローチャートである。図４を参照して、ユーザインターフェース１０７が備える「録画リスト表示」ボタンがユーザによって押操作されると、コンテンツ管理部１０５には、録画コンテンツのリストを表示する表示指令が与えられる（ステップＳ４０１でＹＥＳ）。
【００８６】
表示指令を受信したコンテンツ管理部１０５は、当該コンテンツ管理部１０５で取得され、かつ、当該コンテンツ管理部１０５に記憶された、各録画コンテンツの識別情報を読み込む（ステップＳ４０２）。さらに、コンテンツ管理部１０５は、これらの識別情報に対応する再生履歴情報を読み込む（ステップＳ４０３）。
【００８７】
そして、コンテンツ管理部１０５は、録画コンテンツのそれぞれの識別情報と、録画コンテンツのそれぞれの再生履歴情報とを対応付けた録画コンテンツリストのデータを、表示制御部１０６へ送信する。これにより、録画コンテンツのリストが、ディスプレイ１０９に表示される（ステップＳ４０４）。
【００８８】
図５は、ディスプレイ１０９に表示される録画コンテンツリストの一例を説明するための図である。ディスプレイ１０９には、図５に示すように、互いに対応付けられた録画コンテンツの識別情報および再生履歴情報を含む録画コンテンツリスト１２０が表示される。
【００８９】
録画コンテンツリスト１２０は、ＨＤＤ１０８に録画された複数のコンテンツに対応づけられた要素１２１ａ〜１２１ｆを含む。要素１２１ａ〜１２１ｆには、それぞれ、録画コンテンツのＩＤ番号、番組タイトル、録画日時（録画開始日時と録画停止日時）、および再生履歴情報が含まれている。
【００９０】
たとえば、要素１２１ａは、ＩＤ番号１番の、ニュース番組の録画コンテンツを示している。また、要素１２１ｂは、ＩＤ番号２番の、温泉を特集した番組の録画コンテンツを示している。また、ＩＤ番号３番〜６番の要素１２１ｃ、要素１２１ｄ、要素１２１ｅおよび要素１２１ｆは、それぞれ、ドラマの録画コンテンツを示している。
【００９１】
また、各要素１２１ａ〜１２１ｆのそれぞれにおいて、再生履歴情報を示す再生履歴情報欄１２２が設けられており、再生履歴情報は、対応する識別情報に隣接して配置されている。再生履歴情報は、たとえば、「未視聴」のマークと、アナログ時計の文字盤を模した図柄１２３と、「視聴済み」のマークとによって表示される。
【００９２】
未再生の録画コンテンツ（たとえば、ＩＤ３の録画コンテンツ）における再生履歴情報欄１２２には、「未視聴」マークが表示される。
【００９３】
一方、途中まで再生された、再生中断状態の録画コンテンツ（たとえば、ＩＤ１，ＩＤ２，ＩＤ６の各録画コンテンツ）における再生履歴情報欄１２２では、当該録画コンテンツの録画時間に対する、中断箇所での時間の割合が、図柄１２３に表示される。
【００９４】
たとえば、録画時間が１時間である録画コンテンツにおいて、３０分の時点で再生が中断されているもの（たとえば、ＩＤ２の録画コンテンツ）については、再生履歴情報欄１２２の図柄１２３の円形の枠の内側が、１／２（１８０度）分、録画コンテンツリスト１２０の背景色とは異なる所定の色で塗りつぶされる。
【００９５】
また、録画時間が１時間である録画コンテンツにおいて、４０分の時点で再生が中断されているもの（たとえば、ＩＤ１の録画コンテンツ）については、再生履歴情報欄１２２の図柄１２３の円形の枠の内側が、２／３（２４０度分）、上記所定の色で塗りつぶされる。
【００９６】
また、録画時間が１時間である録画コンテンツにおいて、５４分の時点で再生が中断されているもの（たとえば、ＩＤ６の録画コンテンツＩＤ）については、再生履歴情報欄１２２の図柄１２３の円形の枠の内側が、９／１０（約３２４度分）、上記所定の色で塗りつぶされる。
【００９７】
さらに、録画時間が１時間である録画コンテンツにおいて、１時間の時点まで再生された録画コンテンツ、すなわち、最後まで再生された録画コンテンツ（たとえば、ＩＤ４，５の録画コンテンツ）については、再生履歴情報欄１２２で「視聴済み」と表示される。
【００９８】
このとき、ユーザは、録画コンテンツリストを参照しつつ、ユーザインターフェース１０７が備えるカーソルキーを押操作することで、要素１２１ａ〜１２１ｆの何れかをフォーカスする。
【００９９】
ここで、フォーカスとは、現在操作が可能な状態であることを表しており、録画コンテンツリスト１２０におけるフォーカスされた要素１２１（たとえば、要素１２１ｆ）は、図５において白抜き文字で表示される。
【０１００】
そして、ユーザは、再生したい録画コンテンツの要素１２１をフォーカスさせた状態で、ユーザインターフェース１０７に備えられる「再生」ボタンを押操作する。これに伴い、コンテンツ管理部１０５は、コンテンツ記録再生部１０４に再生指令を与え、コンテンツ記録再生部１０４は、ＨＤＤ１０８に記録されている対応する画像データおよび音声データを表示制御部１０６に出力する。これにより、フォーカスされた要素１２１の録画コンテンツが再生される。なお、録画コンテンツの再生動作の詳細については、図３のフローチャートで前述した通りである。
【０１０１】
また、表示制御部１０６は、フォーカスされている要素１２１に対応する録画コンテンツ（たとえば、ＩＤ６の録画コンテンツ）のプレビュー画面を、録画コンテンツリスト１２０のプレビュー表示部１２４に表示する。プレビュー画面は、フォーカスされている要素１２１ｆに対応する、ＩＤ６の録画コンテンツの一画面を表示する画面である。
【０１０２】
録画コンテツリスト１２０には、選択削除ボタン１２５、および視聴済み削除ボタン１２６が含まれている。
【０１０３】
選択削除ボタン１２５は、録画コンテンツのデータを個別に削除するためのボタンである。視聴済み削除ボタン１２６は、ＨＤＤ１０８に記録されている録画コンテンツのうち、最後まで再生されたか、または実質的に最後まで再生されたコンテンツのデータを一括して削除するためのボタンである。選択削除ボタン１２５および視聴済み削除ボタン１２６は、ユーザインターフェース１０７のボタン押操作によって操作される。
【０１０４】
[選択削除ボタンが押操作されたときの動作]
図６は、図５に示す録画コンテンツリスト１２０の選択削除ボタン１２５が押操作されたときの制御の流れを説明するためのフローチャートである。図５および図６を参照して、コンテンツ管理部１０５は、ユーザインターフェース１０７によって選択削除ボタン１２５が押操作されたか否かを監視する（ステップＳ６０１）。
【０１０５】
選択削除ボタン１２５が押操作された場合（ステップＳ６０１でＹＥＳ）、コンテンツ管理部１０５は、表示制御部１０６へ表示指令を出力し、図７に示す選択削除用リスト１３０をディスプレイ１０９に表示させる（ステップＳ６０２）。
【０１０６】
図７を参照して、選択削除用リスト１３０には、録画コンテンツのＩＤ番号および番組タイトルを示す要素１３１ａ〜１３１ｆが表示されている。また、選択削除用リスト１３０には、プレビュー表示部１２４および拡大表示部１３２が設けられている。拡大表示部１３２は、ユーザインターフェース１０７の操作によってフォーカスされた要素１３１ａ〜１３１ｆに対応する録画コンテンツの識別情報および再生履歴情報を表示する。この拡大表示部１３２に表示される識別情報および再生履歴情報は、図５で示した内容と同内容である。
【０１０７】
たとえば、フォーカスされた要素が要素１３１ｅであるとき、拡大表示部１３２には、要素１３１ｅに対応付けられたＩＤ番号５の録画コンテンツの識別情報および再生履歴情報が表示される。
【０１０８】
また、選択削除用リスト１３０の要素１３１ａ〜１３１ｆのそれぞれには、削除選択用チェックボックス１３３が設けられている。フォーカスされた要素１３１（たとえば、要素１３１ｅ）の削除選択用チェックボックス１３３には、ユーザインターフェース１０７のボタン押操作によって、チェックマークを追加および削除することが可能とされている。
【０１０９】
さらに、選択削除用リスト１３０には、削除ボタン１３４およびキャンセルボタン１３５が設けられている。
【０１１０】
図６を参照して、コンテンツ管理部１０５は、要素１３１ａ〜１３１ｆのそれぞれにおいて、削除選択用チェックボックス１３３にチェックマークが追加されているか否かを確認する（ステップＳ６０３）。
【０１１１】
そして、削除ボタン１３４が、ユーザインターフェース１０７を通じてユーザに押操作された場合（ステップＳ６０４で削除）、コンテンツ管理部１０５は、チェックマークがつけられている要素１３１（たとえば、要素１３１ｅ）の録画コンテンツの画像データ、音声データ、識別情報および再生履歴情報を削除する（ステップＳ６０５）。
【０１１２】
より詳細には、コンテンツ管理部１０５は、コンテンツ記録再生部１０４に削除指令を送信する。削除指令を受けたコンテンツ記録再生部１０４は、チェックマークがつけられた要素１３１に対応付けられた録画コンテンツの画像データ、音声データおよび識別情報をＨＤＤ１０８から削除する。
【０１１３】
なお、ＨＤＤ１０８からデータを削除する処理は、ＨＤＤ１０８の記録領域に記録されたデータを消し去る処理と、ＨＤＤ１０８の記録領域に記録されたデータに新たなデータを上書きすることを許可する処理の、少なくとも一方を含む。
【０１１４】
次いで、コンテンツ管理部１０５は、当該コンテンツ管理部１０５に記憶されている、対応する識別情報および再生履歴情報を削除し、これにより、コンテンツ管理部１０５の情報を更新する（ステップＳ６０６）。
【０１１５】
一方、選択削除用リスト１３０の削除ボタン１３４が押操作されずに、キャンセルボタン１３５が押操作された場合（ステップＳ６０４でキャンセル）、コンテンツ管理部１０５は、録画コンテンツのデータを削除することなく、処理を終了する。
【０１１６】
[視聴済み削除ボタンが押操作されたときの動作]
図８は、図５に示す録画コンテンツリスト１２０で視聴済み削除ボタン１２６が押操作されたときの動作を説明するためのフローチャートである。図５および図８を参照して、コンテンツ管理部１０５は、ユーザインターフェース１０７を通じて視聴済み削除ボタン１２６が押操作されたか否かを監視する（ステップＳ８０１）。
【０１１７】
視聴済み削除ボタン１２６が押操作された場合（ステップＳ８０１でＹＥＳ）、コンテンツ管理部１０５は、図１０に示す一括削除用リスト１４０を作成し（ステップＳ８０２）、一括削除用リスト１４０のデータを表示制御部１０６へ出力し、一括削除用リスト１４０をディスプレイ１０９に表示する（ステップＳ８０３）。
【０１１８】
なお、一括削除用リスト１４０は、最後まで再生されたか、または、実質的に最後まで再生された録画コンテンツの識別情報および再生履歴情報を示すリストである。すなわち、一括削除用リスト１４０は、削除対象コンテンツのリストである。次いで、コンテンツ管理部１０５は、録画コンテンツの削除処理を行う（ステップＳ８０４）。すなわち、表示制御部１０６は、ユーザが視聴済み削除ボタン１２６を押操作することで発した指令に基づいて、録画コンテンツの削除処理を行う。
【０１１９】
[一括削除用リストの作成（ステップＳ８０２の詳細）]
【０１２０】
図９は、一括削除用リスト１４０作成時の制御の流れを説明するためのフローチャートである。
【０１２１】
図９を参照して、コンテンツ管理部１０５は、当該コンテンツ管理部１０５に記憶されている、所定の録画コンテンツ（たとえば、最初はＩＤ１の録画コンテンツ）の識別情報を読み込み（ステップＳ９０１）、さらに、当該識別情報に対応付けられている再生履歴情報を読み込む（ステップＳ９０２）。
【０１２２】
そして、コンテンツ管理部１０５は、読み込んだ再生履歴情報の再生完了フラグを参照し、上記識別情報に対応する録画コンテンツが最後まで再生されたか否かを判定する（ステップＳ９０３）。再生完了フラグが真（Ｔｒｕｅ）の場合には、所定の録画コンテンツは、最後まで再生されていることになる（ステップＳ９０３でＹＥＳ）。この場合、コンテンツ管理部１０５は、当該所定の録画コンテンツの識別情報および再生履歴情報を、一括削除用リスト１４０に追加する（ステップＳ９０４）。その後、コンテンツ管理部１０５は、ステップＳ９０７の処理を行う。
【０１２３】
一方、再生完了フラグが偽（Ｆａｌｓｅ）の場合（ステップＳ９０３でＮＯ）、コンテンツ管理部１０５は、ステップＳ９０１で読み込んだ再生履歴情報の再生時間、すなわち再生中断時の時間位置が、録画時間に対して所定の第１の割合（たとえば、９０％）以上であるか否かを判定する（ステップＳ９０５）。なお、このときの「再生時間」とは、当該録画コンテンツの頭位置から最後に再生を中断したときの位置までの間の時間をいう。また、「録画時間」とは、録画開始から終了までの間の時間をいう。
【０１２４】
コンテンツ管理部１０５は、録画時間に対する再生時間の割合が、上記所定の第１の割合以上である場合（ステップＳ９０５でＹＥＳ）、所定の録画コンテンツにおいて再生をスキップされた箇所が多いか否かを判定する（ステップＳ９０６）。
【０１２５】
なお、この場合のスキップとは、所定の録画コンテンツの一部を飛ばして再生するジャンプ再生、および早送り再生など、等倍再生より早く再生時間が進むように再生をすることをいう。また、単に「再生」というときは、録画速度と同じ等倍速度で再生することをいう。
【０１２６】
所定の録画コンテンツの録画時間に対してスキップが行われた時間の割合が所定の第２の割合（たとえば、数％）以上であり、スキップが多い場合（ステップＳ９０６でＹＥＳ）、当該所定の録画コンテンツは、視聴のために再生された箇所が少なく、実質的に全て再生されたと扱うことは適当でない。この場合、コンテンツ管理部１０５は、所定の録画コンテンツの再生履歴情報および識別情報を、一括削除用リスト１４０には追加しない。次いで、表示制御部１０６は、ステップＳ９０７の処理を行う。
【０１２７】
一方、所定の録画コンテンツの録画時間に対してスキップが行われた時間の割合が上記所定の第２の割合未満である場合（ステップＳ９０６でＮＯ）、所定の録画コンテンツは、大部分をスキップすることなく再生されたと考えることができる。このような録画コンテンツであれば、実質的に最後まで再生されており、ユーザの削除要求は高いと考えることができる。この場合、コンテンツ管理部１０５は、当該所定の録画コンテンツの再生履歴情報と、この再生履歴情報に対応付けられた識別情報とを、一括削除用リスト１４０に追加する（ステップＳ９０４）。
【０１２８】
一方で、コンテンツ管理部１０５は、録画時間に対する再生時間の割合が、上記所定の第１の割合未満である場合（ステップＳ９０５でＮＯ）には、当該再生履歴情報、および当該再生履歴情報に対応付けられた所定の録画コンテンツの識別情報を、削除対象リストに追加せず、ステップＳ９０７の処理を行う。
【０１２９】
ステップＳ９０７では、コンテンツ管理部１０５は、当該コンテンツ管理部１０５に記憶された全ての録画コンテンツの識別情報を読み込んだか否かを判定する。コンテンツ管理部１０５が全ての録画コンテンツの識別情報を読み込んでいない場合（ステップＳ９０７でＮＯ）、コンテンツ管理部１０５は、ステップＳ９０１に戻って別の録画コンテンツの識別情報および再生履歴情報を読み込む（ステップＳ９０１，Ｓ９０２）。その後、コンテンツ管理部１０５は、ステップＳ９０３〜Ｓ９０６の処理を行う。
【０１３０】
そして、表示制御部１０６は、全ての録画コンテンツの識別情報および再生履歴情報を読み込んだ後（ステップＳ９０７でＹＥＳ）、処理を終了する。上記の流れにより、図１０に示す一括削除対象リストが作成される。
【０１３１】
[ユーザの指令に基づく録画コンテンツの削除（ステップＳ８０４の詳細）]
図１１は、ユーザの指令に基づいて録画コンテンツを削除する流れを説明するためのフローチャートであり、図８のステップＳ８０４の詳細を示している。図１１を参照して、コンテンツ管理部１０５は、図９に示す流れによって作成された一括削除用リスト１４０のデータを表示制御部１０６へ出力し、ディスプレイ１０９に表示させる（ステップＳ１１０１）。より詳細には、表示制御部１０６は、図１０に示す一括削除用リスト１４０をディスプレイ１０９に表示する。
【０１３２】
図５および図１０を参照して、たとえば、本実施形態では、録画コンテンツリスト１２０において、要素１２１ｄ、１２１ｅで示された、ＩＤ４，ＩＤ５の各録画コンテンツが、最後まで再生された録画コンテンツとしている。また、要素１２１ｆで示された、ＩＤ６の録画コンテンツは、再生時間が９０％以上であり、かつ、スキップがされていない、実質的に最後まで再生された録画コンテンツとしている。
【０１３３】
したがって、一括削除用リスト１４０では、録画コンテンツのうち、ＩＤ４，ＩＤ５，ＩＤ６の各録画コンテンツの識別情報の番組タイトルが、一括削除用リスト１４０で表示される。すなわち、ＩＤ４，ＩＤ５，ＩＤ６の各録画コンテンツが、削除対象コンテンツとなっており、当該削除対象コンテンツの識別情報の番組タイトルが、一括削除用リスト１４０で表示される。一括削除用リスト１４０には、要素１２１ｅ，１２１ｆ，１２１ｇに対応する要素１４１ｅ，１４１ｆ，１４１ｇが設けられている。要素１４１ｅ，１４１ｆ，１４１ｇには、識別情報として、ＩＤおよび番組タイトルが含まれている。
【０１３４】
また、一括削除用リスト１４０には、要素１４１ｅ〜１４１ｆのそれぞれに対応付けられた削除選択用チェックボックス１３３が表示されている。デフォルトで、要素１４１ｅ〜１４１ｆの削除選択用チェックボックス１３３の全てにチェックマークが入れられている。ユーザインターフェース１０７のボタン押操作によって、フォーカスされた要素１４１の削除選択用チェックボックス１３３のチェックマークを削除することが可能とされている。さらに、一括削除用リスト１４０には、削除ボタン１３４およびキャンセルボタン１３５が設けられている。
【０１３５】
図１０および図１１を参照して、コンテンツ管理部１０５は、要素１４１ｅ，１４ｅｆ，１４１ｇのそれぞれにおいて、削除選択用チェックボックス１３３にチェックマークが追加されているか否かを確認する（ステップＳ１１０２）。
【０１３６】
その後、ユーザインターフェース１０７を通じ削除ボタン１３４が押操作された場合（ステップＳ１１０３で削除）、コンテンツ管理部１０５は、チェックマークがつけられている要素１４１（たとえば、要素１４１ｅ，１４１ｆ，１４１ｇ）に対応付けられた録画コンテンツの画像データ、音声データ、識別情報および再生履歴情報を一括して削除する（ステップＳ１１０４）。
【０１３７】
より詳細には、コンテンツ管理部１０５は、コンテンツ記録再生部１０４に削除指令を出力する。削除指令を受けたコンテンツ記録再生部１０４は、チェックマークがつけられた要素１４１に対応付けられた録画コンテンツの画像データ、音声データおよび識別情報をＨＤＤ１０８から削除する。
【０１３８】
次いで、コンテンツ管理部１０５は、当該コンテンツ管理部１０５に記憶されている、対応する識別情報および再生履歴情報を削除し、これにより、コンテンツ管理部１０５の情報を更新する（ステップＳ１１０５）。
【０１３９】
一方、削除ボタン１３４は押操作されずに、キャンセルボタン１３５が押操作された場合（ステップＳ１１０３でキャンセル）、表示制御部１０６は、録画コンテンツのデータを削除することなく、処理を終了する。
【０１４０】
[録画動作に伴う録画コンテンツの削除]
図１２は、コンテンツ管理装置１０１で録画動作を行うことに伴う録画コンテンツの削除動作を説明するためのフローチャートである。図１２を参照して、コンテンツ管理部１０５は、ＨＤＤ１０８にコンテンツを記録する録画指令がユーザインターフェース１０７から出力されたか否かを監視する（ステップＳ１２０１）。
【０１４１】
なお、この場合の「録画」とは、事前に指定した番組を定められた時間録画する予約録画と、終了時間を特定しない非予約録画とを含む。
【０１４２】
録画指令のある場合（ステップＳ１２０１でＹＥＳ）、表示制御部１０６は、ＨＤＤ１０８の空き容量が不足しているか否かを判定する（ステップＳ１２０２）。
【０１４３】
たとえば、前述の予約録画が指令されている場合、コンテンツ管理部１０５は、録画終了時間が分かっている。この場合、コンテンツ管理部１０５は、ＨＤＤ１０８がコンテンツを記録できる残り時間が、録画しようとするコンテンツの録画時間以上あるときに、ＨＤＤ１０８の空き容量は不足していないと判定する（ステップＳ１２０２でＮＯ）。すなわち、ＨＤＤ１０８の空き容量を超えてしまわないと判定する。
【０１４４】
一方、コンテンツ管理部１０５は、ＨＤＤ１０８がコンテンツを記録できる残り時間が、録画しようとするコンテンツの録画時間未満であるときは、ＨＤＤ１０８の空き容量が不足している判定する（ステップＳ１２０２でＹＥＳ）。すなわち、コンテンツ管理部１０５は、ユーザインターフェース１０７の指令に従ってコンテンツを録画すると、ＨＤＤ１０８の空き容量を超えると判定する。
【０１４５】
また、たとえば、前述の非予約録画を行っている場合、予約終了時刻は決められていないので、コンテンツ管理部１０５は、録画しているコンテンツの録画終了時間がいつであるかが分からない。
【０１４６】
この場合、コンテンツ管理部１０５は、ＨＤＤ１０８がコンテンツを記録できる残り時間が、所定時間（たとえば、数分）以上であれば、ＨＤＤ１０８の空き容量は不足していないと判定する（ステップＳ１２０２でＮＯ）。一方、コンテンツ管理部１０５は、ＨＤＤ１０８でコンテンツを記録できる残り時間が、上記所定時間未満であるときは、ＨＤＤ１０８の空き容量が不足している判定する（ステップＳ１２０２でＹＥＳ）。
【０１４７】
コンテンツ管理部１０５は、ＨＤＤ１０８の空き容量が不足していると判定したとき（ステップＳ１２０２でＹＥＳ）、一括削除用リスト１４０を作成する（ステップＳ１２０３）。ステップＳ１２０３の処理は、図９で説明した一括削除用リスト１４０の作成手順と同様である。
【０１４８】
次いで、コンテンツ管理部１０５は、ディスプレイ１０９が点灯しているか、すなわち、ユーザがディスプレイ１０９を見ているか否かを判定する（ステップＳ１２０４）。ディスプレイ１０９が点灯している場合（ステップＳ１２０４でＹＥＳ）、表示制御部１０６は、一括削除用リスト１４０（図１０参照）をディスプレイ１０９に表示する（ステップＳ１２０５）。
【０１４９】
次いで、表示制御部１０６は、要素１４１ｅ，１４１ｆ，１４１ｇのそれぞれにおいて、選択削除用チェックボックス１３３のチェックマークが削除されているか否かを確認する（ステップＳ１２０６）。なお、チェックマークの削除は、ユーザがユーザインターフェース１０７を操作することにより行われる。チェックマークを削除する指令、すなわち、削除対象リスト１４０から所定の録画コンテンツを除外する指令は、ユーザからユーザインターフェース１０７へ入力される。
【０１５０】
そして、ユーザインターフェース１０７が押操作されることで削除ボタン１３４が押操作された場合（ステップＳ１２０７で削除）、コンテンツ管理部１０５は、チェックマークがつけられている要素１４１ｅ，１４１ｆ，１４１ｇに対応付けられた録画コンテンツの画像データ、音声データ、識別情報および再生履歴情報を削除する（ステップＳ１２０８，Ｓ１２０９）。すなわち、チェックマークが外された要素に対応付けられた録画コンテンツは、削除対象コンテンツから除外される。
【０１５１】
より詳細には、コンテンツ管理部１０５は、コンテンツ記録再生部１０４に削除指令を送信する。削除指令を受けたコンテンツ記録再生部１０４は、チェックマークがつけられた要素１４１ｅ，１４１ｆ，１４１ｇに対応付けられた各録画コンテンツの画像データ、音声データおよび識別情報をＨＤＤ１０８から削除する（ステップＳ１２０８）。
【０１５２】
次いで、コンテンツ管理部１０５は、コンテンツ管理部１０５に記憶されている、対応する識別情報および再生履歴情報を削除し、これにより、コンテンツ管理部１０５の情報を更新する（ステップＳ１２０９）。
【０１５３】
一方、選択削除用リストの削除ボタン１３４が押操作されずに、キャンセルボタン１３５が押操作された場合（ステップＳ１２０７でキャンセル）、コンテンツ管理部１０５は、録画コンテンツのデータを削除することなく、処理を終了する。
【０１５４】
なお、この場合、ＨＤＤ１０８の空き容量の拡大は行われない。したがって、コンテンツ管理部１０５は、ＨＤＤ１０８の空き容量が無くなった時点で、ＨＤＤ１０８への録画を停止する指令をコンテンツ記録再生部１０４に与えることとなる。
【０１５５】
また、ディスプレイ１０９が点灯していない場合（ステップＳ１２０４でＮＯ）、コンテンツ管理部１０５は、ステップＳ１２０８に進み、最後まで再生されたか、または実質的に最後まで再生された録画コンテンツを一括して全て削除する（ステップＳ１２０８，Ｓ１２０９）。
【０１５６】
以上説明したように、本発明の実施の形態に係るコンテンツ管理装置では、コンテンツ管理部１０５は、ＨＤＤ１０８にコンテンツを記録する指令に従ってコンテンツを記録するとＨＤＤ１０８の空き容量を超える場合に、ＨＤＤ１０８に記録済みの１または複数の録画コンテンツのうち、最後まで再生されたか、または実質的に最後まで再生されたコンテンツを削除対象コンテンツとして優先的に削除することができる。
【０１５７】
たとえば、特許第３４３９４０６号公報明細書に開示されている従来の装置、または、特開２００２−１１２１５０号公報に開示されている従来の装置では、再生が１度以上行われたか否かを基準に削除する録画コンテンツを決定する構成か、または、録画日時の最も古い録画コンテンツを削除するという構成であった。このため、途中までしか再生されておらず、ユーザが続きを見たい録画コンテンツであっても、削除されることがあった。また、多忙などの理由により長期間見ることができなかったコンテンツが、誤って削除されることがあった。すなわち、ユーザの見たいと思う録画コンテンツがＨＤＤ１０８から誤って削除されるおそれがあった。これに対し、本発明の実施の形態に係るコンテンツ管理装置によると、最後まで、または実質的に最後まで再生された録画コンテンツを削除するようにしている。よって、上記のように、ユーザがまだ見ていないか、または、見終っておらず、続きを見たい録画コンテンツを誤って削除してしまうことを防止できる。
【０１５８】
また、本発明の実施の形態に係るコンテンツ管理装置では、コンテンツ管理部１０５は、所定の第１の割合以上の時間位置で再生を中断され、かつ、再生をスキップされた割合が所定の第２の割合未満の、ＩＤ６の録画コンテンツを、実質的に最後まで再生された録画コンテンツであると判定する。
【０１５９】
このような構成により、所定の第１の割合以上の時間位置で再生を中断され、かつ、再生をスキップされた割合が所定の第２の割合未満の録画コンテンツを、ユーザが十分に視聴した録画コンテンツとして扱うことができる。よって、最後まで再生されていないようなＩＤ６の録画コンテンツについても、実質的に最後まで再生されたものとして扱うことで削除し、新たなコンテンツの記録のためにＨＤＤ１０８の容量を確保できる。
【０１６０】
また、本発明の実施の形態に係るコンテンツ管理装置では、コンテンツ管理部１０５は、複数の削除対象コンテンツを一括して削除可能である。
【０１６１】
このような構成により、自動的に一度に多くの空き容量を確保できるので、ＨＤＤ１０８の記録領域の有効活用を図ることができる。
【０１６２】
また、本発明の実施の形態に係るコンテンツ管理装置では、削除対象コンテンツの削除に先立ち、削除対象コンテンツの識別情報をディスプレイ１０９に表示させる制御を行うための表示制御部１０６をさらに備える。
【０１６３】
このような構成により、削除対象コンテンツの削除に先立ち、どの録画コンテンツが削除されるかを、ユーザに知らせることができる。
【０１６４】
また、本発明の実施の形態に係るコンテンツ管理装置では、一括削除用リスト１４０に載せられた削除対象コンテンツから除外するコンテンツを示す指令信号を受信可能なユーザインターフェース１０７をさらに備え、コンテンツ管理部１０５は、ユーザインターフェース１０７が受信した指令信号の示す録画コンテンツを削除対象コンテンツから除外する。
【０１６５】
このような構成であれば、ユーザが消去したくない録画コンテンツを、消去対象から除外することができる。
【０１６６】
また、本発明の実施の形態に係るコンテンツ管理装置では、表示制御部１０６は、複数の録画コンテンツの識別情報と、再生履歴情報とを各要素１２１において対応付けてディスプレイ１０９に表示させる制御を行う。
【０１６７】
このような構成により、ユーザは、録画コンテンツの再生履歴情報と、当該録画コンテンツの識別情報とを対応付けられた録画コンテンツリスト１２０を、ディスプレイ１０９で確認することができる。これにより、ユーザは、各録画コンテンツを、再生動作させることなくどこまで再生済みであるか、直ちに認識できる。その結果、たとえば、ユーザは、再生途中で中断された録画コンテンツのうち、続きを観たいコンテンツがどれであるかを、容易に特定できる。また、ユーザは、ＨＤＤ１０８に保存されている録画コンテンツのうちの、削除したい録画コンテンツを容易に特定できる。したがって、録画コンテンツを視聴する際、および録画コンテンツを削除する際などのユーザの利便性を高めることが可能なコンテンツ管理装置を実現できる。
【０１６８】
また、本発明の実施の形態に係るコンテンツ管理装置では、表示制御部１０６は、録画コンテンツの識別情報と当該識別情報に対応する再生履歴情報とを隣接して配置したリスト１２０をディスプレイ１０９に表示させる。
【０１６９】
このような構成により、識別情報と再生履歴情報とを隣接して配置したリスト１２０を用いることで、ユーザは、各録画コンテンツの再生状況を迅速に把握できる。
【０１７０】
また、本発明の実施の形態に係るコンテンツ管理装置では、再生履歴情報は、録画コンテンツの再生中断時における再生位置を示す位置情報を含む。
【０１７１】
これにより、録画コンテンツの再生を途中で中断した後、再度録画コンテンツを再生する動作を行わなくても、録画コンテンツがどこまで再生されたかをすぐに識別できる。これにより、ユーザの利便性をより高くできる。
【０１７２】
また、本発明の実施の形態に係るコンテンツ管理装置では、再生履歴情報は、対応する録画コンテンツが最後まで再生されたことを示す情報を含む。
【０１７３】
最後まで再生された録画コンテンツは、ユーザが意図的に削除することが多い。このような録画コンテンツについて、最後まで再生された旨をディスプレイ１０９で録画コンテンツリスト１２０として明示することで、ユーザが削除したい録画コンテンツを、ユーザに容易に特定させることができる。
【０１７４】
また、本発明の実施の形態に係るコンテンツ管理装置では、ユーザの指令を受信する表示制御部１０６をさらに備え、コンテンツ管理部１０５は、ユーザの指令に応じて、最後まで再生されたか、または実質的に最後まで再生された録画コンテンツの識別情報を取得する。
【０１７５】
このような構成により、録画コンテンツのうち、最後まで再生されたかまたは実質的に最後まで再生された録画コンテンツを抽出して一括削除用リスト１４０としてディスプレイ１０９に明示することで、これらの録画コンテンツをユーザに分かりやすく表示できる。これにより、最後まで再生されたかまたは実質的に最後まで再生された録画コンテンツのうち、保存しておきたい録画コンテンツを誤って削除してしまうことを抑制できる。
【０１７６】
また、本発明の実施の形態に係るコンテンツ管理装置では、コンテンツ管理部１０５は、１または複数の録画コンテンツを記録したＨＤＤ１０８に接続可能であり、ユーザの指令を受信するための表示制御部１０６をさらに備え、コンテンツ管理部１０５は、最後まで再生されたか、または実質的に最後まで再生された録画コンテンツを、ユーザの指令に応じて一括してＨＤＤ１０８から削除する。
【０１７７】
このような構成により、再生が終わった録画コンテンツを１つ毎に削除するという手間のかかる作業をユーザに行わせずに済み、ユーザの利便性を向上できる。
【０１７８】
また、本発明の実施の形態に係るコンテンツ管理装置では、コンテンツ管理部１０５は、所定の第１の割合以上の時間位置で再生を中断され、かつ、再生をスキップされた割合が第２の割合未満の録画コンテンツを、実質的に最後まで再生された録画コンテンツであると判定する。
【０１７９】
このような構成により、例えば、映画のエンドロールやテレビ番組の終了直後のコマーシャル部分以外は再生が済んでいる録画コンテンツを、実質的に最後まで再生されたコンテンツと判定することができる。また、１つの録画コンテンツに複数の番組が含まれている場合に、たとえば、ユーザは、後の番組から視聴することがある。この場合、録画コンテンツの前半部分など、まだ再生されていない部分が多く残っており、ユーザがこの前半部分を視聴したいと思っている可能性がある。このような場合において、録画コンテンツを削除してしまうことを防止できる。
【０１８０】
［第２の実施形態］
図１３は、本発明の第２の実施形態に係るコンテンツ管理装置１０１における、録画動作を行うことに伴う録画コンテンツの削除の流れを説明するためのフローチャートである。図１３に示す流れは、図１２に示す流れの一部を変更したものとなっている。より詳細には、図１３に示す流れは、図１２に示す流れにステップＳ１２１０〜Ｓ１２１３を加えた流れとなっている。
【０１８１】
図１２に示す流れでは、ディスプレイ１０９が消灯しているとき、一括削除用リスト１４０の録画コンテンツのデータの全てを削除したけれども、図１３に示す流れでは、一括削除対象リストの録画コンテンツのデータを、録画開始日時の古い順から削除するようにしている。
【０１８２】
図１３を参照して、ディスプレイ１０９が消灯しているとき（ステップＳ１１０４でＮＯ）、コンテンツ管理部１０５は、コンテンツ記録再生部１０４に、録画開始日時の最も古いＩＤ６の録画コンテンツの画像データ、音声データ、および識別情報を、ＨＤＤ１０８から削除させる（ステップＳ１２１０）。また、コンテンツ管理部１０５は、当該コンテンツ管理部１０５に記録されている、ＩＤ６の録画コンテンツの識別情報および再生履歴情報を削除する（ステップＳ１２１１）。
【０１８３】
次に、コンテンツ管理部１０５は、一括削除用リスト１４０から、ＩＤ６の録画コンテンツの要素１４１ｆを削除することにより、一括削除用リスト１４０を更新する（ステップＳ１２１２）。
【０１８４】
次に、コンテンツ管理部１０５は、ＨＤＤ１０８の空き容量が未だ不足しているか否かを判定する（ステップＳ１１１３）。ＨＤＤ１０８の空き容量が未だ不足している場合（ステップＳ１１１３でＹＥＳ）、コンテンツ管理部１０５は、ステップＳ１２１０に戻る。
【０１８５】
そして、コンテンツ管理部１０５は、更新された一括削除用リスト１４０のうち、録画開始日時の最も古い、ＩＤ５の録画コンテンツの画像データ、音声データおよび識別情報を、コンテンツ記録再生部１０４によってＨＤＤ１０８から削除させる（ステップＳ１２１０）。
【０１８６】
さらに、コンテンツ管理部１０５は、当該コンテンツ管理部１０５に記憶されているＩＤ５の録画コンテンツの識別情報および再生履歴情報を削除する（ステップＳ１２１１）。さらに、コンテンツ管理部１０５は、一括削除用リスト１４０から要素１４１ｅを削除することにより、一括削除用リスト１４０を更新する（ステップＳ１２１２）。
【０１８７】
１または複数の録画コンテンツが削除されることにより、ＨＤＤ１０８の空き容量の不足が解消されると（ステップＳ１２１３でＮＯ）、表示制御部１０６は、処理を終了する。
【０１８８】
本発明の実施の形態に係るコンテンツ管理装置では、一括削除用リスト１４０に載せられた削除対象コンテンツが複数ある場合には、新たなコンテンツを記録するために必要な空き容量がＨＤＤ１０８において確保されるまで、削除対象コンテンツ（ＩＤ４，ＩＤ５，ＩＤ６の各録画コンテンツ）を、削除対象コンテンツの録画日時の古いものから順に削除する。
【０１８９】
このような構成であれば、新たなコンテンツを録画する際に削除する古い録画コンテンツの削除量を必要最低限にすることができる。よって、ユーザにとって不本意な削除動作を抑制できる。
【０１９０】
また、本発明の実施の形態に係るコンテンツ管理装置では、ＨＤＤ１０８が複数の録画コンテンツを記録している例を説明したけれども、これに限定されない。たとえば、ＨＤＤ１０８が１つの録画コンテンツのみを記憶しており、１つの録画コンテンツの識別情報と、再生履歴情報とを対応付けてディスプレイ１０９に表示してもよい。また、ＨＤＤ１０８が１つの録画コンテンツのみを記憶しており、１つの録画コンテンツが最後まで、または実質的に最後まで再生されている場合に、当該コンテンツをＨＤＤ１０８から削除してもよい。
【０１９１】
また、本発明の実施の形態に係るコンテンツ管理装置では、再生が中断された状態の録画コンテンツの再生履歴情報を、時計マークを模した図柄１２３で図示したけれども、これに限定されない。たとえば、図柄１２３に代えて、録画コンテンツの最初から、再生を中断したときまでの再生経過時間を数字で明示してもよい。また、再生を中断したときから録画コンテンツの再生が完了するまでの残り時間を数字で明示してもよい。
【０１９２】
また、本発明の実施の形態に係るコンテンツ管理装置では、各録画コンテンツにおいて、録画時間に対する再生時間が所定の第１の割合以上のときにおいて、当該録画コンテンツを実質的に最後まで再生したと判定する構成を説明したけれども、これに限定されない。たとえば、各録画コンテンツにおいて、録画時間と再生時間との差が所定の時間（たとえば、１０分）未満のときにおいて、当該録画コンテンツを実質的に最後まで再生したと判定する構成でもよい。
【０１９３】
また、本発明の実施の形態に係るコンテンツ管理装置では、録画コンテンツリスト１２０のＩＤ６の録画コンテンツは、実質的に最後まで再生されたものであるけれども、実質的に最後まで再生されたことを要素１２１ｆでは文字で明示してはいない。しかしながら、ＩＤ６の録画コンテンツについて、実質的に最後まで再生されたものであることを、要素１２１ｆにおいて文字で明示してもよい。
【０１９４】
また、本発明の実施の形態に係るコンテンツ管理装置では、ＨＤＤ１０８の空き容量が不足しているときに、最後まで、または実質的に最後まで再生された録画コンテンツのデータを、他の録画コンテンツのデータに対して優先的に削除する構成を説明したけれども、これに限定されない。たとえば、最後まで、または実質的に最後まで再生された録画コンテンツ以外の録画コンテンツのデータも一緒にＨＤＤ１０８から削除可能としてもよい。
【０１９５】
また、本発明の実施の形態に係るコンテンツ管理装置では、受信部１０２がストリームを受信することによりコンテンツを録画するとしたが、コンテンツ管理装置１０１に外付けの光学ドライブを接続することにより、ＤＶＤ（Digital Versatile Disc）やＢＤ（Blu-ray Disc）等のディスクからコンテンツを取得できるようにしても良い。
【０１９６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１９７】
１０１  コンテンツ管理装置
１０４  コンテンツ記録再生部（コンテンツ記録部）
１０５  コンテンツ管理部
１０６  表示制御部
１０７  ユーザインターフェース（指令受信部）
１０８  ＨＤＤ（記録装置）
【図１】
2013114734.tif 000003
【図２】
2013114734.tif 000004
【図３】
2013114734.tif 000005
【図４】
2013114734.tif 000006
【図５】
2013114734.tif 000007
【図６】
2013114734.tif 000008
【図７】
2013114734.tif 000009
【図８】
2013114734.tif 000010
【図９】
2013114734.tif 000011
【図１０】
2013114734.tif 000012
【図１１】
2013114734.tif 000013
【図１２】
2013114734.tif 000014
【図１３】
2013114734.tif 000015